(57)【特許請求の範囲】
【請求項１】
扉の壁面に固定される取付け座と、この取付け座に設けられるプッシュ・プル式ハンドルと、該ハンドルを取り外した後にハンドル操作の仕様を変え得るプッシュ・プル錠のハンドル操作の変更構造であって、前記取付け座は、該取付け座の背面と前記扉の壁面或いは錠箱の側壁との間に設けられるハンドル操作変更用の座裏板を備え、該座裏板は、Ｘ軸方向の長さよりもＹ軸方向の長さが短く設定され、かつ、ハンドル操作変更用の機能を有する切欠部分を有し、該座裏板を所定の角度だけ回転位置変位させた場合に、前記ハンドルの取付け軸部の係合突起が、前記切欠部分を形成する縁部（障害部分）と係合しない場合と、係合する場合の二つの態様があることを特徴するプッシュ・プル錠のハンドル操作の変更構造。
【請求項２】
請求項１に於いて、座裏板は、取付けベースと、この取付けベース内に形成した嵌合部に取り外し可能に嵌着するハンドル操作変更用位置変位片とから成ることを特徴するプッシュ・プル錠のハンドル操作の変更構造。
【請求項３】
扉の壁面に固定される取付け座と、この取付け座に設けられるプッシュ・プル式ハンドルと、該ハンドルを取り外した後にハンドル操作の仕様を変え得るプッシュ・プル錠のハンドル操作の変更構造であって、前記取付け座は、該取付け座の背面と前記扉の壁面或いは錠箱の側壁との間に設けられるハンドル操作変更用の複数枚の座裏板を備え、これら中の一方の座裏板はハンドル操作をプッシュ・プルできる大きさの切欠部分を有し、他の座裏板はハンドル操作を一方向にのみに操作できる大きさの切欠部分を有していることを特徴するプッシュ・プル錠のハンドル操作の変更構造。
【請求項４】
請求項３に於いて、切欠部分の大きさが異なる二種類の座裏板は、交換可能な嵌合片であり、取付けベース内に形成した嵌合部から一方を取り外し、他方を前記嵌合部に嵌め込むことにより、ハンドル操作の仕様を変えることを特徴するプッシュ・プル錠のハンドル操作の変更構造。
【請求項５】
扉の壁面に固定される取付け座と、この取付け座に設けられるプッシュ・プル式ハンドルと、該ハンドルを取り外した後にハンドル操作の仕様を変え得るプッシュ・プル錠のハンドル操作の変更構造であって、前記取付け座を、ハンドル操作変更用に複数枚用意し、これら中の一方は、ハンドル中心孔と連通しかつハンドル操作をプッシュ・プルできる大きさの切欠部分を有し、他は、ハンドル中心孔と連通しかつハンドル操作を一方向にのみできる大きさの切欠部分を有していることを特徴するプッシュ・プル錠のハンドル操作の変更構造。
【発明の詳細な説明】
【技術分野】
【０００１】
本発明は、プッシュ・プル錠のハンドル操作の変更構造に関する。
【背景技術】
【０００２】
特許文献１には、図１乃至図３に記載のプッシュ・プル錠のハンドル機構Ｘが記載されている。なお、ここでは説明の便宜上、特許文献１の用語と符号を用いる。
【０００３】
このハンドル機構Ｘは、内外の支持座４、５に支持軸９を介してそれぞれ枢支された内外の揺動軸７，８と、これらの揺動軸の外端部３０にそれぞれ固定された内外のプッシュ・プルハンドル１０，１１と、これらのプッシュ・プルハンドルの操作力により摺動する摺動体１２、１３を錠箱３内に備えたプッシュ・プル錠２のハンドル機構Ｘに於いて、前記内外の揺動軸７，８の内端軸部３４に互いに直接係合するオス・メス係合部３５．３６を形成し、図３で示すように、内外のハンドル１０，１１のいずれかを「プル」又は「プッシュ」すると、内外の揺動軸７，８の内端軸部３４が、錠箱３内の前記摺動体１２、１３を、錠箱内のバネ部材のバネ力に抗して所定方向へ移動させる。
【０００４】
さらに、特許文献１のプッシュ・プル錠２の構成を説明する。１は扉、２はラッチを備えたプッシュ・プル錠、３は錠箱（プッシュ・プル錠の一部等を省略）、４は内側支持座（取付け座）、５は外側支持座（取付け座）、６は内外の支持座４．５を一体的に連結する複数本の固着具、７は内側ハンドルの軸部に一体的に挿入された内側揺動軸、８は外側ハンドルの軸部に一体的に挿入された外側揺動軸、９は内外の揺動軸或いはハンドルをそれぞれ枢支する支持軸、１０は内側揺動軸７に固着具１６を介して固定される内側ハンドル、１１は外側揺動軸８に固着具１６を介して固定される外側ハンドルである。
【０００５】
内外のハンドル１０、１１は、操作する人を基準とする。すなわち、操作する人を基準として扉１の向こう側に位置するハンドルが外側ハンドルである。したがって、扉１の手前側に位置するハンドルが内側ハンドル１０である。
【０００６】
また、１２は錠箱３内に移動可能に設けられた枠状の第１摺動体、１３は第１摺動体１２内に設けられた第２摺動体、１４は内側化粧カバー、１５は外側化粧カバー、１７は内外の揺動軸７、８に外嵌し、かつ、内外の支持座４、５の環状凹所２５、２５にそれぞれ嵌合する１対の合成樹脂製嵌着鍔である。
【０００７】
さらに、細部的事項について付言する。内外の支持座４．５は、それぞれドーナツ形状に形成され、外側の支持座４の内壁面に一対のメネジを有する連結杆２１が突設されているのに対し、内側の支持座４には、前記メネジ連結杆２１に対向する固着具６用貫通孔２２．２２が形成されている点を除き、その余の構成は略同一である。
【０００８】
すなわち、２３はやや肉厚の環状部で、この環状部２３の中央部には、角型の中心孔２４が形成されている。２５は前記中心孔２４と連通するように環境部２３の中央部の外壁面に形成された環状凹所、２６は支持軸９用の挿入穴である。
【０００９】
また、外側揺動軸７と内側の揺動軸８は、図１、図３で示すように、対応する内側の支持座４と外側の支持座５にそれぞれ支持軸９．９を介して揺動自在に軸支される。内外の揺動軸７．８は、内外の支持座４．５の挿入穴２６にそれぞれ差し込まれた支持軸９．９を介してそれぞれ水平方向に揺動自在である。
【００１０】
上記構成に於いて、内外のハンドル１０，１１をそれぞれ操作する場合、図３で示すように、支持軸９．９を支点にして、矢印で示すように、「プル」又は「プッシュ」することができる。
【００１１】
内外のハンドル１０，１１をそれぞれ操作すると、各揺動軸７，８の内端側３４の軸端部がオス・メスの係合部３５．３６を介して互いに連係していることから、内端側３４の軸端部が共働して、錠箱内の第１摺動体１２又は第２摺動体１３を、図示しないバネ部材のバネ力に抗して所定方向へ移動させる。その結果、扉１を開くことができる。
【００１２】
なお、内外の揺動軸７．８の構成について付言すると、３１は鉢状の小凹所、３２は支持軸用の貫通小孔３３を有する軸中央部である。
【００１３】
ところで、特許文献２、特許文献３には、「扉の取付け場所（例えばドアクローザが必要ない室内扉）を考慮し、ユーザーが錠箱の前板から見える可動体の操作部を操作すると、プッシュ・プル仕様から片面的仕様（プル仕様、又はプッシュ仕様）へと切り換るプッシュ・プル錠の具体的構成」が開示されている。
【００１４】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
【００１５】
その理由は、プッシュ・プル仕様から片面的仕様（例えばプル仕様）に切り換えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【特許文献１】特開２００５−２６４４８７号公報
【特許文献２】特開２００４−２１１５２９号公報
【特許文献３】特開２００４−２２５３８４号公報
【発明の開示】
【発明が解決しようとする課題】
【００１６】
本発明の主たる目的は、ハンドルを外して、該ハンドル用の支持座（ハンドルの取付け座）の座裏板の取付け位置の変更（位置変位）をすることにより、又は座裏板を他の種類の裏板に変更することにより、プッシュ・プル仕様から片面的仕様（プル仕様、又はプッシュ仕様）に切替えることができること。換言すると、ハンドル操作の仕様を変更する際に、座裏板を所定量回転して切欠部分の位置を変位させ、又は切欠部分の大きさが異なる他の座裏板に取り替えることにより、エンドユーザであっても、ハンドルの操作を変更することができることである。
【００１７】
本発明の第２の目的は、座裏板ではなく、二種類の座裏板、あるいは嵌合片、あるいはまた座本体（支持座あるいは取付け座）を取り替えことにより、本発明の主たる目的を達成することである。
【課題を解決するための手段】
【００１８】
本発明のプッシュ・プル錠のハンドル操作の変更構造は、扉の壁面に固定される取付け座と、この取付け座に設けられるプッシュ・プル式ハンドルと、該ハンドルを取り外した後にハンドル操作の仕様を変え得るプッシュ・プル錠のハンドル操作の変更構造であって、前記取付け座は、該取付け座の背面と前記扉の壁面或いは錠箱の側壁との間に設けられるハンドル操作変更用の座裏板を備え、該座裏板は、Ｘ軸方向の長さよりもＹ軸方向の長さが短く設定され、かつ、ハンドル操作変更用の機能を有する切欠部分を有し、該座裏板を所定の角度だけ回転位置変位させた場合に、前記ハンドルの取付け軸部の係合突起が、前記切欠部分を形成する縁部（障害部分）と係合しない場合と、係合する場合の二つの態様があることを特徴する。
【００１９】
また、本発明のプッシュ・プル錠のハンドル操作の変更構造は、扉の壁面に固定される取付け座と、この取付け座に設けられるプッシュ・プル式ハンドルと、該ハンドルを取り外した後にハンドル操作の仕様を変え得るプッシュ・プル錠のハンドル操作の変更構造であって、前記取付け座は、該取付け座の背面と前記扉の壁面或いは錠箱の側壁との間に設けられるハンドル操作変更用の複数枚の座裏板を備え、これら中の一方の座裏板はハンドル操作をプッシュ・プルできる大きさの切欠部分を有し、他の座裏板はハンドル操作を一方向にのみに操作できる大きさの切欠部分を有していることを特徴する。
【００２０】
さらに、本発明のプッシュ・プル錠のハンドル操作の変更構造は、扉の壁面に固定される取付け座と、この取付け座に設けられるプッシュ・プル式ハンドルと、該ハンドルを取り外した後にハンドル操作の仕様を変え得るプッシュ・プル錠のハンドル操作の変更構造であって、前記取付け座を、ハンドル操作変更用に複数枚用意し、これら中の一方は、ハンドル中心孔と連通しかつハンドル操作をプッシュ・プルできる大きさの切欠部分を有し、他は、ハンドル中心孔と連通しかつハンドル操作を一方向にのみできる大きさの切欠部分を有していることを特徴する。
【発明を実施するための最良の形態】
【００２１】
以下、図４乃至図９に示す本発明を実施するための最良の形態（第１実施例）により説明する。なお、第１実施例を説明するに当たって、図１乃至図３に示した従来の一実施例の構成と同一の部材や部分については、同一又は同様の符号を付して重複する説明を割愛する。したがって、例えば図４の同一又は同様の符号は、従来の一実施例の構成をそのまま援用することを意味する。
【００２２】
（１）発明の実施の環境
図４は、本発明の主要部をそのまま含む概略断面説明図である。まず、主要部の構成部材を簡単に説明する。４Ａは内側の支持座（以下、「支持座」という）、１４Ａは内側の化粧カバー（以下、「カバー」という）、１０Ａは内側のハンドル（以下、「ハンドル」という）、７Ａはハンドル１０Ａの取付け軸部（従来例の揺動軸７と同じ）、３４Ａは取付け軸部の内端部側、そして、４１は、扉１の内壁の切欠した円形状開口部分１ａに嵌め込まれたハンドル操作変更用座裏板である。
【００２３】
この座裏板４１は、もちろん、扉１が開口部分１ａを有しない場合には、扉１の内壁面に添設され得る。したがって、座裏板４１が錠箱３の外壁面に直接添設されるか、それとも、扉１の内壁面に添設されるかは、本発明の本質的事項ではない。この実施例の座裏板４１は、その切欠部分４２の位置変位によって、ハンドル１０Ａの仕様態様が変わる。
【００２４】
（２）特徴部分
次に、図５は、ハンドル１０Ａと、カバー１４Ａと、座裏板４１の概略説明図である。周知のように、ハンドル１０Ａは、取付け軸部７Ａ用の嵌合軸部１０ａと、この嵌合軸部１０ａに対して直交状態の操作部分（例えば握り部分）１０ｂとから成る。
【００２５】
前記嵌合軸部１０ａと取付け軸部７Ａとは一体であるか、又は別体であるかについては設計上の問題であり、発明の本質的事項ではない。また、本実施例では、切欠部分４２を有する座裏板４１が発明の要部であることから、図６で示すように、前記取付け軸部７Ａの内端側３４Ａの左右の外壁面には、それぞれ一対の係合突起４５が設けられている。
【００２６】
さらに、ハンドル１０Ａは、プッシュ・プル式であるから、前記操作部分１０ｂの形態は、レバーハンドル形状、板状形状等任意の形状に設計可能である。
【００２７】
図４で示すように、本実施例のハンドル操作の変更構造は、扉１の壁面に固定される取付け座４Ａ、５と、この取付け座に設けられるプッシュ・プル式ハンドル１０Ａ、１１と、該ハンドルを取り外した後にハンドル操作の仕様を変え得るプッシュ・プル錠のハンドル操作の変更構造であることを特徴とする。特に、前記ハンドルは、内側のハンドルであり、ハンドル操作の変更構造の要部は内側の座裏板や座本体（取付け座）であることを特徴とする。
【００２８】
したがって、プッシュ・プル錠の錠箱内の錠機構は、本発明の本質的事項ではない。本発明の本質的事項は、例えば前記内外の取付け座４Ａ、５のいずれか一方の座裏板（本実施例では、内側の座裏板）４１に、ハンドル操作変更用の機能を有する切欠部分４２を形成したことを特徴する。
【００２９】
（３）内側の座裏板４１
内側の座裏板４１の具体的構成を説明する。図７の（ａ）は、座裏板４１の正面図である。この図７の（ａ）から明らかなように、本実施例の座裏板４１は、形状如何を問わないが、例えば円形に形成され、その左右上下には、固着具６用の貫通孔４３、４４がそれぞれ形成されている。ここでは、符号４３はＸ軸線（水平線）上の貫通孔、符号４４をＹ軸線（垂直線）上の貫通孔とする。これらの貫通孔４３、４４がそれぞれＸ軸線（水平線）上に位置変位した場合には、支持座４Ａの固着具用貫通孔２２と一致する。
【００３０】
したがって、座裏板４１は、支持座４Ａ及び複数本の固着具６を介して錠箱３の外壁面に添設状態で固定される。付言すれば、図４で示すように、内側の座裏板４１は、錠箱３の外壁面３ａと支持座４Ａの内壁面との間にサンドイッチ状に介在する。
【００３１】
ここで、図７の（ａ）を基準にすると、ハンドル操作変更用の機能を有する切欠部分４２は、正面視「凸状」に形成されている。この切欠部分４２の形状は、凸状に限定するものではない。用語の機能的表現を具体的に説明すると、切欠部分４２のＸ軸方向の長さ「Ｌ１」よりも、Ｙ軸方向の長さ「Ｌ２」が短く設定されている。したがって、切欠部分４２が、例えば楕円形状の場合であっても、水平線上の長さ「Ｌ１」よりも水平線上の「Ｌ２」が短い。
【００３２】
このように縦と横の切欠長さＬ１、Ｌ２に差異を設けた理由は、座裏板４１を所定の角度だけ「位置変位」させた場合に於いて、ハンドル１０Ａの取付け軸部７Ａの係合突起４５が、切欠部分４２を形成する特定の縁部（障害部分）４６と係合しない場合（図７）と、係合する場合（図８）の二つの態様を得ることができるからである。
【００３３】
換言すれば、図７で示すように、ハンドル１０Ａの取付け軸部７Ａの係合突起４５が切欠部分４２内に位置している場合には、ハンドル１０Ａの操作は、図７の下方の図（矢印）で示すように、支持軸９を支点にして、「プル」又は「プッシュ」することができる。
【００３４】
これに対して、図８の（ｂ）で示すように、ハンドル１０Ａの係合突起４５の一つが切欠部分４２内に位置しておらず、切欠部分４２の縁部４６に係止される場合には、ハンドル１０Ａの操作は、図８の（ｂ）で示すように、支持軸９を支点にして、「プル」操作はできるが、「プッシュ」操作は「不可」である。したがって、例えば内側の座裏板４１の位置を変位することにより、本来的なプッシュ・プル仕様から片面的仕様態様に切り替わる。
【００３５】
（４）片面的仕様態様への切換え
図９は、本来的なプッシュ・プル仕様から片面的仕様態様に切り替える場合をフローチャート形式で示した概略説明図である。図４及び図７はプッシュ・プル仕様である。片面的仕様態様への切換える場合には、まず、ハンドル１０Ａを取り外す。この場合、ビスと称される固着具１６を、ドライバーで緩めると、ハンドル１０Ａは取付け軸部７Ａから外れる。
【００３６】
次に支持板４Ａを扉から取り外す。この場合、化粧カバー１４Ａを外し、固着具６を外側の取付け座５の連結杆２１から外す。この時、外側の取付け座５はそのまま扉に装着しておいても良い。また、実施例によっては、支持板４Ａとハンドル１０Ａを一緒に取り外す場合もあり得る。したがって、ハンドル１０Ａや支持板４Ａの取り外し方は、本発明の本質的事項ではない。
【００３７】
次に、座裏板４１を位置変位させる。この場合、正面視「凸状」に見えていた座裏板４１を、正面視「横向き凸状」に見えるように手で９０度回す。横向き凸状が右向きか、それとも左向きかによって、「プッシュのみ」か、又は「プルのみ」のいずれかに変わる。
【００３８】
次に、位置変位が終わったならば、固着具６を支持板４Ａの貫通孔２２及び座裏板４１の貫通孔４４に通して外側の取付け座５の連結杆２１に螺合させる。そして、最後に固着具１６を介してハンドル１０Ａを取付け軸部７Ａに取付ける。
【００３９】
なお、本実施例は、座裏板４１を交換しないで、その場でそのまま１枚の座裏板４１を位置変位させる旨を記述しているが、後述する実施例のように、切欠部分の大きさが異なる二種類の座裏板、又は二種類の座本体を所望する座本体と交換することによっても、同一の目的を達成することができる。
【実施例】
【００４０】
以下、この欄では、本発明の第２実施例乃至第４実施例を説明する。なお、例えば各図に於いて、図４に記載の第１実施例と同一の部分には、同一又は同様の符号を付す。
【００４１】
図１０及び図１１は第２実施例の各説明図である。第２実施例が第１実施例と主に異なる点は、座裏板４１Ａが取付けベース５１と位置変位片５２の「ニ物品」から成ることである。
【００４２】
すなわち、第２実施例の座裏板４１Ａは、所要の開口５１ｂを有する取付けベース５１と、この取付けベース５１内に形成した嵌合部５１ａに取り外し可能に嵌着すると共に、ハンドル操作変更用の切欠部分４２Ａを有する位置変位片５２とから成る。
【００４３】
前記嵌合部５１ａは、円形あるいは楕円形状の嵌合孔でも良いが、この実施例では、Ｘ軸線及びＹ軸線を基準として、それぞれ左右上下対象の切欠嵌合部となっている。嵌合部５１ａを形成する内周面は、規則的に連続する曲面形状であるが、これは一例であって、第１実施例と同様に位置変位片５２を９０度回転して位置変位することが可能であれば、切欠嵌合部５１ａの内周の形状は任意に設計変更し得る。もちろん、位置変位片５２の外径寸法は、取付けベース５１の嵌合部５１ａの内径寸法を考慮して適宜に設定されている。
【００４４】
このように構成すると、図１１で示すように、取付けベース５１を扉１の円形状開口１ａに固定的に嵌め込まれている状態（取付けベース５１が固着具で固定されている状態）であっても、位置変位片５２のみをドライバー等を利用して一旦取付けベース５１から取り外し、位置変位片５２を位置変位させた後に再び取付けベース５１の嵌合部５１ａに嵌め込むことができるから、簡単に仕様を変えることができるという利点がある。
【００４５】
図１２及び図１３は第３実施例の各説明図である。第３実施例が第１実施例と主に異なる点は、座裏板が２種類存在することである。すなわち、座裏板は、図１２で示すように、本来的なプッシュ・プル仕様用の第１座裏板（一方の座裏板）４１Ｂと、片面的仕様態様用の第２座裏板（他方の座裏板）４１Ｃとから構成されている。
【００４６】
換言すると、内外の取付け座のいずれか一方の座裏板、例えば内側の座裏板を、ハンドル操作変更用に複数枚用意し、これら中の一方の座裏板４１Ｂには、ハンドル操作をプッシュ・プルできる大きさの切欠部分４２Ｂが形成されているのに対して、他の座裏板４１Ｃには、ハンドル操作を一方向にのみに操作できる大きさの切欠部分４２Ｃが形成されているに過ぎない。
【００４７】
ここで、図１２を基準にすると、第１座裏板（一方の座裏板）４１Ｂの長方形状の切欠部分４２Ｂ内には、仮想線で示す左右の係合突起４５が位置するのに対して、座裏板の取付け如何によって、ハンドルの他方（例えば右）の係合突起４５は第２座裏板（他方の座裏板）４１Ｃの切欠部分４２Ｃ内に位置しないため、切欠部分４２Ｃの特定の縁部（障害部分）４６に係合する。
【００４８】
付言すれば、前記切欠部分のＸ軸線上の長さを比較すると、第１座裏板４１Ｂの長さ「Ｌ３」の方が第２座裏板（他方の座裏板）のそれ「Ｌ４」よりも長い。また、Ｘ軸とＹ軸が交差する中心Ｏを基準にすると、第１座裏板４１Ｂの長さ「Ｌ３」は左右均等であるのに対して、第２座裏板４１Ｃの長さ「Ｌ４」は左右不均等である。
【００４９】
したがって、図１３で示すように、扉１の円形状開口１ａから第１座裏板（一方の座裏板）４１Ｂを取り外して、第２座裏板４１Ｃを前記開口１ａに嵌め込むと、ハンドル操作の仕様を変えることができる。
【００５０】
なお、特に図示しないが、第３実施例の考え方と第２実施例の考え方を結合した実施例も、第３実施例と実質的に同一である。すなわち、第２実施例で示した取付けベース５１を介して、該取付けベース５１の嵌合部５１ａに第３実施例の前記第１座裏板（一方の座裏板）４１Ｂから第２座裏板（他方の座裏板）４１Ｃに変換する実施例である。この場合第１座裏板４１Ｂ及び第２座裏板４１Ｃは交換可能な嵌合片となる。
【００５１】
図１４の（ａ）、（ｂ）は第４実施例の説明図である。第４実施例が第１実施例と主に異なる点は、座裏板ではなく、座本体（取付け座、あるいは支持座）が２種類存在することである。
【００５２】
すなわち、前記内外の取付け座のいずれか一方（図４では内側の支持座４Ａのこと）を、ハンドル操作変更用に複数枚４Ｂ、４Ｃ用意し、これら中の一方の取付け座４Ｂは、ハンドル中心孔２４と連通し、かつ、ハンドル操作をプッシュ・プルできる大きさの凹所あるいは切欠部分４２Ｄを有し、他の取付け座４Ｂは、ハンドル中心孔と連通し、かつ、ハンドル操作を一方向にのみできる大きさの凹所あるいは切欠部分４２Ｅを有している。
【００５３】
付言すると、ハンドル１０Ａが支持軸９を介して一方の取付け座４Ｂに取付けられた場合には、左右の係合突起４５は、切欠部分４２Ｄ内に位置するので、プッシュ・プル仕様となるのに対して、ハンドル１０Ａが支持軸９を介して他方の取付け座４Ｃに取付けられた場合には、左右いずれか一つの係合突起４５は、切欠部分４２Ｅ内に収まらないことから、一つの係合突起４５は切欠部分４２Ｅの特定の縁部（障害部分）４６と係合する。
【００５４】
したがって、ハンドルを取り外した後に、ハンドル操作変更用の座本体４Ｂ、４Ｃを交換しても、ハンドル操作の仕様を変えることができることから、第１実施例と同一の目的を達成することができる。
【産業上の利用可能性】
【００５５】
本発明は、主に錠前や建具の業界で利用される。
【図面の簡単な説明】
【００５６】
図１乃至図３は本発明が援用する従来の一例を示す各説明図。図４乃至図９は本発明の最良の実施例を示す各説明図（第１実施例）。図１０及び図１１は本発明の第２実施例を示す各説明図。図１１及び図１２は本発明の第３実施例を示す各説明図。図１４は本発明の第４実施例を示す概略説明図。
【図１】概略断面説明図（平面側から見ている）。
【図２】図１に於いて、支持座とハンドル等の関係を示す分解的説明図。
【図３】ハンドルの仕様態様を示す概略説明図。
【図４】図１と同様の概略断面説明図。
【図５】取付け軸部、カバー及び座裏板を斜視図で示した概略説明図。
【図６】主たる部材の分解斜視図。
【図７】図７の（ａ）、（ｂ）は、ハンドルの仕様態様を示す各説明図。
【図８】図８の（ａ）、（ｂ）は、片面的仕様態様（実施例ではプル仕様）に切り替えた各説明図。
【図９】片面的仕様態様に変える場合の流れを示す説明図。
【図１０】第２実施例を示す説明図。
【図１１】片面的仕様態様（実施例では、プッ仕様）に切り替えた説明図。
【図１２】第３実施例を示す説明図。
【図１３】図１１と同様に片面的仕様態様切り替えた説明図。
【図１４】図１４の（ａ）、（ｂ）は、第４実施例を示す各概略説明図。
【符号の説明】
【００５７】
１…扉、１ａ…開口、１３…錠箱、４Ａ，４Ｂ，４Ｃ…支持座（取付け座）、５…支持座、７，７Ａ，８…揺動片（取付け軸部）、９…支持軸、１０Ａ…ハンドル（内側）、１１…ハンドル（外側）、１２，１３…摺動体、１４，１４Ａ…カバー（内側）、１５…カバー（外側）、１７…鍔、２３…環状部、２３ａ…環状部の係合溝、２４…中心孔、３３…支軸用貫通小孔、３４Ａ…取付け軸部の内端部側、４１，４１Ａ，４１Ｂ，４１Ｃ…座裏板、４２，４２Ａ，４２Ｂ，４２Ｃ，４２Ｄ，４２Ｅ…切欠部分、４５…係合突起、４６…縁部（障害部分）、５１…取付けベース板、５１ａ…嵌合部、５２…位置変位片、Ｏ…Ｘ軸とＹ軸が交差する中心。
【図１】
0004767003.tif 000002
【図２】
0004767003.tif 000003
【図３】
0004767003.tif 000004
【図４】
0004767003.tif 000005
【図５】
0004767003.tif 000006
【図６】
0004767003.tif 000007
【図７】
0004767003.tif 000008
【図８】
0004767003.tif 000009
【図９】
0004767003.tif 000010
【図１０】
0004767003.tif 000011
【図１１】
0004767003.tif 000012
【図１２】
0004767003.tif 000013
【図１３】
0004767003.tif 000014
【図１４】
0004767003.tif 000015